(57)【要約】【課題】ろ材の交換作業を迅速に行えるとともに、ろ材の折れ曲がり部分の破損を有効に防止することができるエアフィルタを提供すること。【解決手段】本体ケース２と、この本体ケース２内に着脱自在に取り付ける平面状又は折り畳み式のろ材１０とからなる交換型のエアフィルタ１において、ろ材１０の相対する２辺又は折辺７と平行な両端の２辺に、本体ケース２に配備したフィルタ厚み方向上流側の端片５ｃ、中間部の嵌合部５ａ及び任意位置の係止部５ｂで構成された嵌合部材５と嵌合する、フィルタろ材厚み方向上流側のシール部４ｃ、中間部の嵌合部４ａ、任意位置の係止部４ｂで構成された嵌合枠４を備え、嵌合部材５と嵌合枠４の間にシール部材８を、残りの辺と本体ケース２の間にパッキン６を備える。【選択図】  図１
2005037005.tif 000002
【特許請求の範囲】
【請求項１】
本体ケースと、該本体ケース内に着脱自在に取り付ける平面状又は折り畳み式のろ材とからなる交換型のエアフィルタにおいて、ろ材の相対する２辺又は折辺と平行な両端の２辺に、本体ケースに配備したフィルタろ材厚み方向上流側の端片、中間部の嵌合部及び任意位置の係止部材で構成された嵌合部材と嵌合する、フィルタ厚み方向上流側のシール部、中間部の嵌合部及び任意位置の係止部材で構成された嵌合枠を備え、嵌合部材と嵌合枠の間にシール部材を、残りの辺と本体ケースの間にパッキンを備えたことを特徴とするエアフィルタ。
【請求項２】
本体ケースと該本体ケース内に、着脱自在に取り付ける折り畳み式のろ材からなる交換型のエアフィルタにおいて、ろ材の折辺に、ろ材の角部の折れ曲がり箇所で立ち上がり部分を設けた補強材を貼着したことを特徴とするエアフィルタ。
【発明の詳細な説明】
【０００１】
【発明の属する技術分野】
本発明は、エアフィルタ、特にろ材の交換を容易にすることのできるエアフィルタに関するものである。
【０００２】
【従来の技術】
従来のフィルタ交換型のエアフィルタは、本体ケースの内部にＷ形のろ材を取り付けるに際し、ろ材を本体ケースに固定・押圧する押さえ枠等によって固定する方法が採られている。
【０００３】
また、図１０に示す如く、本体ケース５１の取付板５２に備えた止め金具５０によって、含塵空気が流入する上流側から取付板５２の端部５３に、ろ材５４の両端部に取り付けた耳部５５のフック状部分５５ａを嵌めるとともに、その上から止め金具５０の挟着部５０ａを嵌め込み固定する方法が採用されている（例えば、特許文献１参照。）。
【０００４】
【特許文献１】
特開平８−５７２３６号公報
【特許文献２】
特開平１０−１５３２８号公報
【０００５】
【発明が解決しようとする課題】
上記従来のエアフィルタには、フィルタ厚み方向で見た場合止め金具５０のフック状部分５５ａが本体ケース５１側にしかないので、逆流等の場合、外れる恐れがあり、外れた場合含塵空気が清浄空間に漏れるという問題があった。
また、本体ケースに止め金具を取り付ける必要があるとともに、ろ材交換時にろ材を本体ケースに取り付けた後に止め金具によってろ材を固定する必要があるため、取り替え作業に手数を要するという問題点があった。
さらに、ろ材にＷ形、Ｖ形の折り畳み式のものを使用する場合には、その折れ曲がり部分に貼り付ける補強材端部の引き破れによって含塵空気が清浄空間に漏れ出るといった不具合も生じることがあった。
【０００６】
本発明は、上記従来装置のフィルタが外れたり、含塵空気が清浄空間に漏れるという問題点を解決するとともに、ろ材の交換作業を迅速に行え、ろ材の折れ曲がり部分の破損を有効に防止することができるエアフィルタを提供することを目的とする。
【０００７】
【課題を解決するための手段】
上記目的を達成するため、本発明のエアフィルタは、本体ケースと、該本体ケース内に着脱自在に取り付ける平面状又は折り畳み式のろ材とからなる交換型のエアフィルタにおいて、ろ材の相対する２辺又は折辺と平行な両端の２辺に、本体ケースに配備したフィルタろ材厚み方向上流側の端片、中間部の嵌合部及び任意位置の係止部材で構成された嵌合部材と嵌合する、フィルタ厚み方向上流側のシール部、中間部の嵌合部及び任意位置の係止部材で構成された嵌合枠を備え、嵌合部材と嵌合枠の間にシール部材を、残りの辺と本体ケースの間にパッキンを備えたことを特徴とする。
【０００８】
上記の構成からなる本発明のエアフィルタは、通常使用時ではろ材の長手方向中央部が風圧で押されて風下側、つまり本体ケース側に凸型に少し曲がろうとし、また逆流時には逆方向に曲がろうとして嵌合枠をろ材長手方向中央部に引き寄せる力が作用しても、係止部が嵌合部材の係止部に引っかかっているため、姿勢が維持され外れない。
また、シール部分でシールされているので含塵空気が清浄空間に漏れることがなく、取り付け時では、ろ材の２つの嵌合枠間の寸法を２つの嵌合部材間の寸法より若干大きく製作しておけば、エアフィルタ嵌合枠の係止部を嵌合部材の係止部に係止させつつ本体ケースに押し込むと、ろ材の弾力で嵌合枠と嵌合部材が嵌合し、ワンタッチで取り付けることができる。
さらに、取り外し時は取り付け時と逆に嵌合枠の耳部に指をかけて嵌合部材を手前に引き出すと、ワンタッチで取り外すことができる。
【０００９】
また、第２の発明は、本体ケースと該本体ケース内に、着脱自在に取り付ける折り畳み式のろ材からなる交換型のエアフィルタにおいて、ろ材の折辺に、ろ材の角部の折れ曲がり箇所で立ち上がり部分を設けた補強材を貼着したことを特徴とする。
【００１０】
上記の構成からなる第２の発明のエアフィルタは、ろ材の折片に貼着した補強材の立ち上がり部分がろ材と本体ケース間をシールすると同時に補強部端部の引き破れから生じる含塵空気の漏出を有効に防止することができる。
【００１１】
【発明の実施の形態】
以下、本発明のエアフィルタの実施の形態を図面に基づいて説明する。
【００１２】
図１は、本発明のエアフィルタ１に使用する交換用ろ材１０と該ろ材１０を収納する本体ケース２を示し、図例ではＷ形のろ材を示す。
【００１３】
ろ材１０は、Ｗ形の折り畳み式のものであって、その折辺７と直交するろ材の辺（後述する本体ケース２の天板２１と底板２２に当接する辺）に本体ケース２との隙間を塞ぐパッキン６を配備するとともに、折辺７と平行なろ材１０の辺に本体ケース２に配備した嵌合部材５と嵌合する嵌合枠４を取り付ける。
【００１４】
嵌合枠４は図１、図２、図４に示すようにろ材１０の折辺７と平行な両端の２辺に配備され、フィルタろ材厚み方向上流側にシール部材８を適宜手段で取り付けシール部となる耳部４ｃ、中間部に嵌合凹部４ａ、下流側の係止部材となる係止溝４ｂで構成された部材で、後述する嵌合部材５と係止させつつ、ろ材１０を本体ケース２に取り付けるものである。
【００１５】
また、３箇所の折辺７に該折辺７を覆うように補強部材３を貼着する。
この補強部材３は、図６（ｂ）に示す如く立ち上がり部分ｍを設けることにより、切り込み部Ｃの接点からの破れを確実に防止することができ、含塵空気の清浄室への流出を確実に防止する。
この立ち上がり部分ｍは、３乃至１０ｍｍ程度の幅を有するものであれば十分である。
【００１６】
また、図７に示すように切り込み部Ｃの接点をフィルタ同士の折辺７の頂点からｎだけずらせることによっても切り込み部Ｃの接点からの破れを防止することができる。
この場合、ｎの幅を大きくとると、ろ材１０をＶ字状に開くことが困難となるため、３ｍｍ程度に抑えることが好ましい。
【００１７】
本体ケース２は、天板２１と底板２２を連結する横板２３、２３によって正面と背面を開放した矩形状に構成し、内部に使用されるろ材の形状にあった枠材２４を配備する。
２５は枠材２４の補強材を示し、図例では中央付近に１箇所合計３枚取り付けて構成する。
【００１８】
５は、ろ材１０に取り付けた嵌合枠４と嵌合する嵌合部材を示し、フィルタろ材厚み方向の上流側から端片５ｃ、嵌合凸部５ａ、係止部材となる係止片５ｂからなる。  嵌合部は嵌合枠４の嵌合凹部４ａが嵌合凸部に、嵌合部材５の嵌合凸部５ａが嵌合凹部になってもかまわない。また係止部材は嵌合枠４の係止溝４ｂが係止片に、嵌合部材５の係止片５ｃが係止溝になってもかまわない。
嵌合部材５は、枠材２４と別個に製作したものを本体ケース２の適宜箇所に取り付けるように構成する他、枠材２４の端部を曲げ加工などによって製作してもかまわない。
【００１９】
上記構成において、ろ材１０の本体ケース２への取付は、図４（ｃ）に示す如く、嵌合枠４の係止溝４ｂに嵌合部材５の  係止片５ｂを差し込みつつ、耳部４ｃの側面を押して嵌合枠４の嵌合凹部４ａと、嵌合部材５の嵌合凸部５ａを嵌合せしめることによってろ材１０を本体ケース２に係止する。
本発明のエアフィルタは、通常使用時ではろ材の長手方向中央部が風圧で押されて風下側、つまり本体ケース側２に凸型に少し曲がろうとし、また逆流時には逆方向に曲がろうとして嵌合枠４をろ材長手方向中央部に引き寄せる力が作用しても、係止片５ｂが嵌合枠４の係止溝４ｂに引っかかっているため、姿勢が維持され外れない。またシール部材８でシールされているので含塵空気が清浄空間に漏れない。
【００２０】
耳部４ｃに取り付けられたシール部材８を端片５ｃが押し付けることと、パッキン６がケース２と、ろ材１０との隙間を塞ぐことにより含塵空気の流入を防止することとなる。
【００２１】
図５は、嵌合枠４と嵌合部材５の別の実施例を示す。
図５（ａ）に示す嵌合枠４は嵌合凹部４ｄとして丸形のくぼみを縦方向に数箇所構成し、図５（ｂ）に示す嵌合部材５は上記嵌合凹部４ｄに対応する位置に丸形の出っ張りを設けることによってろ材１０を本体ケース２に係止するものである。
【００２２】
図８は平面状ろ材の場合のろ材厚み方向の形状を示す図面で（ａ）はろ材の相対する２辺に嵌合枠４が設けられている断面図を示し、（ｂ）は、、上面と下面のパッキン６を示す（ａ）図におけるＡ―Ａの断面図である。
【００２３】
図９（ａ）はシール部材８を嵌合部材５の端片５ｃに取り付け、嵌合枠４の耳部４ｃに接してシールした実施例を示す。
図９（ｂ）は嵌合枠４と嵌合部材５の凹凸が図４と逆になった別実施例の断面図を示す。
図９（ｃ）は嵌合枠４と嵌合部材５の係止溝、係止片が図４と逆になった別実施例の断面図である。
【００２４】
また、図９（ｄ）は耳部４ｃ、端片５ｃが嵌合部５の係止溝４ｂ、係止片５ｂを兼ねた別実施例の断面図である。
本実施例は嵌合枠４のシール部材８付きの耳部４ｃが本体ケース２側にほぼ直角に曲がっており、ろ材１０の本体ケース２への取付は、図４（ｃ）の様に、嵌合枠４の係止溝４ｂに嵌合部材５の係止片５ｂを差し込まなくても、嵌合枠４の嵌合凹部４ａと、嵌合部材５の嵌合凸部５ａを嵌合せしめるだけでろ材１０を本体ケース２に係止できる。
通常使用時ではろ材１０の長手方向中央部が風圧で押されて風下側、つまり本体ケース側に凸型に少し曲がろうとして嵌合枠４をろ材長手方向中央部に引き寄せる力が作用しても、嵌合枠４の耳部４ｃが嵌合部材５の端片５ｃに引っかかっているため、姿勢が維持され外れることがなく、シール部材８が圧縮されシールされているので含塵空気が清浄空間に漏れることはない。
【００２５】
以上、本発明のエアフィルタについて、その実施例に基づいて説明したが、平面状又はＶ形やＷ形以外の折れ曲がり部分を有するろ材であってもかまわない。また本発明は上記実施例に記載した構成に限定されるものではなく、その趣旨を逸脱しない範囲において適宜その構成を変更することができるものである。
【００２６】
【発明の効果】
以上の如く、本発明のエアフィルタによれば、ろ材と一体で作成されていたエアフィルタの場合の様にそのケースの破棄をする必要がなく廃棄物の削減になる。また、ろ材はワンタッチによる着脱、つまり位置決め、係止が可能なため、交換作業時間が大幅に短縮することができる。
【００２７】
また、第２の発明による時は、折辺に貼着ける補強部材がろ材の開閉によって破損することがないから含塵空気の清浄空間への流入を確実に防止することができる。
【００２８】
【図面の簡単な説明】
【図１】本発明のエアフィルタの全体を示す斜視図である。
【図２】本発明のろ材の全体を示す斜視図である。
【図３】本発明の本体ケースの全体を示す斜視図である。
【図４】ろ材と本体ケースの嵌合方法を説明する斜視図である。
【図５】ろ材と本体ケースの別の嵌合方法を説明する斜視図である。
【図６】補強材を説明する斜視図である。
【図７】補強材の別の実施例を示す斜視図である。
【図８】平面状ろ材のろ厚み方向の形状を示す断面図である。
【図９】嵌合枠、嵌合部材の別の実施例の断面図である。
【図１０】従来のエアフィルタを示す、一部断面の平面図である。
【符号の説明】
１    エアフィルタ
２    本体ケース
３    補強材
４    嵌合枠
４ａ  嵌合凹部（嵌合部）
４ｂ  係止部
４ｃ  耳部（シール部）
５    嵌合部材
５ａ  嵌合凸部（嵌合部）
５ｂ  係止部
５ｃ  端片
６    パッキン
７    折辺
８    シール部材
１０  ろ材
【図１】
2005037005.tif 000003
【図２】
2005037005.tif 000004
【図３】
2005037005.tif 000005
【図４】
2005037005.tif 000006
【図５】
2005037005.tif 000007
【図６】
2005037005.tif 000008
【図７】
2005037005.tif 000009
【図８】
2005037005.tif 000010
【図９】
2005037005.tif 000011
【図１０】
2005037005.tif 000012